(57)【要約】【課題】メーカ、機種に依存せず、機器同士を直接接続してデータを取り扱うことができ、更にデータの多様なハンドリングが可能な直接記録装置及び直接記録方法を提供する。【解決手段】第１の機器（１）内に記憶された少なくとも１つの第１のデータと第２の機器（２）内に記憶された少なくとも１つの第２のデータを転送する交信手段（９，１０、１６、１７）と、第１のデータまたは第２のデータのそれぞれにデータを識別する固有の識別子を設定する識別子設定手段（１７、１０）と、識別子に基づいて、転送する第１または第２のデータを特定するデータ特定手段（１０、１７）とを備えた。【選択図】    図２
2004328544.tif 000002
【特許請求の範囲】
【請求項１】
第１の機器と該第１の機器に直接信号接続する第２の機器とに搭載された直接記録装置であって、
前記第１の機器内に記憶された少なくとも１つの第１のデータと前記第２の機器内に記憶された少なくとも１つの第２のデータを転送する交信手段と、
前記第１のデータまたは前記第２のデータのそれぞれにデータを識別する固有の識別子を設定する識別子設定手段と、
前記識別子に基づいて、転送する前記第１または第２のデータを特定するデータ特定手段と
を備えたことを特徴とする直接記録装置。
【請求項２】
前記第１の機器に記憶された少なくとも１つの第１のデータを前記第２の機器に転送して記憶させる第１の直接記憶手段と、
前記第２の機器内に記憶された少なくとも１つの第２のデータを要求するデータ要求手段と、
前記要求に基づいて転送された少なくとも１つの第２のデータを前記第１の機器内に記憶させる第２の直接記憶手段と
を備えたことを特徴とする請求項１に記載の直接記録装置。
【請求項３】
前記第１の機器はデータを表示する表示部を有し、
前記第１の機器に記憶された少なくとも１つの第１のデータを前記第２の機器に転送して記憶させる第１の直接記憶手段と、
前記第２の機器に記憶された少なくとも１つの第２のデータを要求するデータ要求手段と、
前記要求に基づいて転送された少なくとも１つの第２のデータを前記表示部に表示させるデータ表示手段と
を備えたことを特徴とする請求項１に記載の直接記録装置。
【請求項４】
前記第２の機器内に記憶された少なくとも１つの第２のデータを前記第２の機器内で移動、コピーまたは削除させるデータ操作手段を備えたことを特徴とする請求項２又は３に記載の直接記録装置。
【請求項５】
前記第２の機器の保有するデータ取扱い機能に関する情報を獲得する情報獲得手段を有し、
前記第１の直接記憶手段は、前記獲得した情報に基づいて、前記第２の機器のデータ取扱い動作を指定する動作指定手段を備えたことを特徴とする請求項２乃至４の内いずれか１の請求項に記載の直接記録装置。
【請求項６】
前記第１の機器は、電子カメラであり、前記第２の機器は記憶装置であることを特徴とする請求項１乃至５の内いずれか１の請求項に記載の直接記録装置。
【請求項７】
前記データは、画像データであることを特徴とする請求項６に記載の直接記録装置。
【請求項８】
第１の機器と該第１の機器に直接信号接続する第２の機器とに搭載され、前記第１の機器内に記憶された少なくとも１つの第１のデータと前記第２の機器内に記憶された少なくとも１つの第２のデータを転送する交信手段を有する直接記録装置の直接記録方法であって、
前記第１のデータまたは前記第２のデータのそれぞれにデータを識別する固有の識別子を設定する識別子設定手順と、
前記識別子に基づいて、転送する前記第１または第２のデータを特定するデータ特定手順と
を備えたことを特徴とする直接記録方法。
【請求項９】
前記第１の機器に記憶された少なくとも１つの第１のデータを前記第２の機器に転送して記憶させる第１の直接記憶手順と、
前記第２の機器内に記憶された少なくとも１つの第２のデータを要求するデータ要求手順と、
前記要求に基づいて転送された少なくとも１つの第２のデータを前記第１の機器内に記憶させる第２の直接記憶手順と
を備えたことを特徴とする請求項８に記載の直接記録方法。
【請求項１０】
前記第１の機器はデータを表示する表示部を有し、
前記第１の機器に記憶された少なくとも１つの第１のデータを前記第２の機器に転送して記憶させる第１の直接記憶手順と、
前記第２の機器に記憶された少なくとも１つの第２のデータを要求するデータ要求手順と、
前記要求に基づいて転送された少なくとも１つの第２のデータを前記表示部に表示させるデータ表示手順と
を備えたことを特徴とする請求項８に記載の直接記録方法。
【請求項１１】
前記第２の機器内に記憶された少なくとも１つの第２のデータを前記第２の機器内で移動、コピーまたは削除させるデータ操作手順を備えたことを特徴とする請求項９又は１０に記載の直接記録方法。
【請求項１２】
前記第２の機器の保有するデータ取扱い機能に関する情報を獲得する情報獲得手順を有し、
前記第１の直接記憶手順は、前記獲得した情報に基づいて、前記第２の機器のデータ取扱い動作を指定する動作指定手順を備えたことを特徴とする請求項９乃至１１の内いずれか１の請求項に記載の直接記録方法。
【請求項１３】
前記第１の機器は、電子カメラであり、前記第２の機器は記憶装置であることを特徴とする請求項９乃至１２の内いずれか１の請求項に記載の直接記録方法。
【請求項１４】
前記データは、画像データであることを特徴とする請求項１３に記載の直接記録方法。
【発明の詳細な説明】
【０００１】
【発明の属する技術分野】
本発明は、機器同士が交信を行ってそれぞれに記憶されているデータを取り扱うための技術に関し、詳しくは、電子カメラと記憶装置とが直接接続してデータの転送を行うための技術に関する。
【０００２】
【従来の技術】
従来、電子カメラで撮影した画像等のデータを外部の大容量の記録装置に記録しようとするときは、ＰＣを介して画像等のデータの転送を行っていた。しかしながら、取り扱いの利便さの観点から、「ＵＳＢストレッジクラス対応の」電子カメラと光磁気ディスクドライブ装置をダイレクトに接続し、ボタンひとつで光磁気ディスクドライブ装置へ転送させる技術が使用されている。
【０００３】
また、カメラ自体に着脱式の記録媒体を設け、この記録媒体に撮像データを記録する技術が開示されている（例えば、特許文献１参照）。
【０００４】
図２０は、特許文献１に記載されたカメラシステムの構成を示す断面図である。
【０００５】
このカメラシステムは、カメラ１００とカメラのレンズマウント部に装着されたデータ記録装置１０１とからなる。カメラ１００は、記録媒体１０２に記録された撮像データを読み出して、信号端子１０３を介して着脱可能な記録媒体１０４に記録する。特許文献１に開示された技術によれば、ＰＣを介することなく直接データの転送が可能となる。
【０００６】
【特許文献１】
特開２００２−１７４７７８号公報
【０００７】
【発明が解決しようとする課題】
しかしながら、特許文献１に開示された発明においても、なお、解決すべき次のような課題があった。
【０００８】
このデータ記録装置では、カメラと一体として接続されてデータの転送を可能とする。従って、データ記録装置は、記録媒体の種類（例えば、ＭＯ、ＣＤ−Ｒ、ＤＶＤ等）に対応して、カメラと接続できるように個々に設計する必要があるため、コストアップとなる。
【０００９】
また、データ記録装置とカメラとの組合せは、メーカ、機種によらないことが望ましいものであるところ、その互換性機能の実現を担保する技術的な内容が不明である。従って、メーカ、機種によらずにデータ転送を可能とするものではない。
【００１０】
また、特許文献１に記載のカメラシステムは撮像データの記録を主たる目的として構成されているため、その機能もデータ転送、記録に特化したものである。従って、従来のＰＣを介した場合のように、データの多様なハンドリングを行う機能が備っていない。
【００１１】
本発明は係る事情に鑑みてなされたものであって、メーカ、機種に依存せず、機器同士を直接接続してデータを取り扱うことができ、更にデータの多様なハンドリングが可能な直接記録装置及び直接記録方法を提供することを目的とする。
【００１２】
【課題を解決するための手段】
上記課題を解決するための、本発明の請求項１に記載の直接記録装置は、第１の機器と該第１の機器に直接信号接続する第２の機器とに搭載された直接記録装置であって、前記第１の機器内に記憶された少なくとも１つの第１のデータと前記第２の機器内に記憶された少なくとも１つの第２のデータを転送する交信手段と、前記第１のデータまたは前記第２のデータのそれぞれにデータを識別する固有の識別子を設定する識別子設定手段と、前記識別子に基づいて、転送する前記第１または第２のデータを特定するデータ特定手段とを備えた
また本発明の請求項２に記載の直接記録装置は、上記記載の発明である直接記録装置において、前記第１の機器に記憶された少なくとも１つの第１のデータを前記第２の機器に転送して記憶させる第１の直接記憶手段と、前記第２の機器内に記憶された少なくとも１つの第２のデータを要求するデータ要求手段と、前記要求に基づいて転送された少なくとも１つの第２のデータを前記第１の機器内に記憶させる第２の直接記憶手段とを備えた。
【００１３】
また本発明の請求項３に記載の直接記録装置は、上記記載の発明である直接記録装置において、前記第１の機器はデータを表示する表示部を有し、前記第１の機器に記憶された少なくとも１つの第１のデータを前記第２の機器に転送して記憶させる第１の直接記憶手段と、前記第２の機器に記憶された少なくとも１つの第２のデータを要求するデータ要求手段と、前記要求に基づいて転送された少なくとも１つの第２のデータを前記表示部に表示させるデータ表示手段とを備えた。
【００１４】
また本発明の請求項４に記載の直接記録装置は、上記記載の発明である直接記録装置において、前記第２の機器内に記憶された少なくとも１つの第２のデータを前記第２の機器内で移動、コピーまたは削除させるデータ操作手段を備えた。
【００１５】
また本発明の請求項５に記載の直接記録装置は、上記記載の発明である直接記録装置において、前記第２の機器の保有するデータ取扱い機能に関する情報を獲得する情報獲得手段を有し、前記第１の直接記憶手段は、前記獲得した情報に基づいて、前記第２の機器のデータ取扱い動作を指定する動作指定手段を備えた。
【００１６】
また本発明の請求項６に記載の直接記録装置は、上記記載の発明である直接記録装置において、前記第１の機器は、電子カメラであり、前記第２の機器は記憶装置である。
【００１７】
また本発明の請求項７に記載の直接記録装置は、上記記載の発明である直接記録装置において、前記データは、画像データである。
【００１８】
また、本発明の請求項８に記載の直接記録方法は、第１の機器と該第１の機器に直接信号接続する第２の機器とに搭載され、前記第１の機器内に記憶された少なくとも１つの第１のデータと前記第２の機器内に記憶された少なくとも１つの第２のデータを転送する交信手段を有する直接記録装置の直接記録方法であって、前記第１のデータまたは前記第２のデータのそれぞれにデータを識別する固有の識別子を設定する識別子設定手順と、前記識別子に基づいて、転送する前記第１または第２のデータを特定するデータ特定手順とを備えた。
【００１９】
また本発明の請求項９に記載の直接記録方法は、上記記載の発明である直接記録方法において、第１の機器に記憶された少なくとも１つの第１のデータを前記第２の機器に転送して記憶させる第１の直接記憶手順と、前記第２の機器内に記憶された少なくとも１つの第２のデータを要求するデータ要求手順と、前記要求に基づいて転送された少なくとも１つの第２のデータを前記第１の機器内に記憶させる第２の直接記憶手順とを備えた。
【００２０】
また本発明の請求項１０に記載の直接記録方法は、上記記載の発明である直接記録方法において、前記第１の機器はデータを表示する表示部を有し、前記第１の機器に記憶された少なくとも１つの第１のデータを前記第２の機器に転送して記憶させる第１の直接記憶手順と、前記第２の機器に記憶された少なくとも１つの第２のデータを要求するデータ要求手順と、前記要求に基づいて転送された少なくとも１つの第２のデータを前記表示部に表示させるデータ表示手順とを備えた。
【００２１】
また本発明の請求項１１に記載の直接記録方法は、上記記載の発明である直接記録方法において、前記第２の機器内に記憶された少なくとも１つの第２のデータを前記第２の機器内で移動、コピーまたは削除させるデータ操作手順を備えた。
【００２２】
また本発明の請求項１２に記載の直接記録方法は、上記記載の発明である直接記録方法において、前記第２の機器の保有するデータ取扱い機能に関する情報を獲得する情報獲得手順を有し、前記第１の直接記憶手順は、前記獲得した情報に基づいて、前記第２の機器のデータ取扱い動作を指定する動作指定手順を備えた。
【００２３】
また本発明の請求項１３に記載の直接記録方法は、上記記載の発明である直接記録方法において、前記第１の機器は、電子カメラであり、前記第２の機器は記憶装置である。
【００２４】
また本発明の請求項１４に記載の直接記録方法は、上記記載の発明である直接記録方法において、前記データは、画像データである。
【００２５】
【発明の実施の形態】
図１は、本発明に係る直接記録装置の狙いを示す図である。
【００２６】
本発明に係る直接記録装置は、機器である電子カメラ１と記録装置であるストレージ２に搭載されている。そして、直接記録装置の働きによって、電子カメラ１とストレージ２とは、メーカ、機種に依存することなく、相互にデータを取り扱うことが可能となる。
【００２７】
図２は、本発明に係る直接記録装置を用いた直接記録システムの構成を示す図である。
【００２８】
直接記録システムは、電子カメラ１、ストレージ２及び通信線３で構成されている。
【００２９】
電子カメラ１には、撮像部５、機器記録媒体６、操作部７、表示部８、機器通信インターフェース９、機器直接記録手段１０及び機器制御部１１が設けられている。
【００３０】
撮像部５は、被写体を撮像して撮像信号を生成するとともに、種々の画像処理を行って画像データを作成する。機器記録媒体６は、撮像部５が作成した画像データ等を格納する。操作部７は、電子カメラ１の動作に関する指示を入力するための操作スイッチなどを備える。表示部８は、画像データあるいはユーザインターフェース画面等を表示する。機器通信インターフェース９は、ストレージ２との間で信号の授受を行うインターフェースである。機器直接記録手段１０は、本発明に係る直接記録装置であり、ストレージ２との間で画像データ等の転送及びハンドリングを行う。機器制御部１１は、機器直接記録手段１０の動作を含み、電子カメラ各部の動作を統括的に制御する。
【００３１】
ストレージ２には、ストレージ記録媒体１５、ストレージ通信インターフェース１６、ストレージ直接記録手段１７及びストレージ制御部１８が設けられている。
【００３２】
ストレージ記録媒体１５は、画像データ等を格納する。ストレージ通信インターフェース１６は、電子カメラ１との間で信号の授受を行うインターフェースである。ストレージ直接記録手段１７は、本発明に係る直接記録装置であり、電子カメラ１との間で画像データ等の転送及びハンドリングを行う。ストレージ制御部１８は、ストレージ直接記録手段１７の動作を含み、ストレージ各部の動作を統括的に制御する。
【００３３】
ここで、通信線３とは広く情報の送受信に用いられる経路のことで、導電線、光ファイバなどの有線を用いた通信に限られず、光、音波、電波などを用いた無線通信も含まれる。
【００３４】
本直接記録システムでは、電子カメラ１に設けられた機器直接記録手段１０とストレージ２に設けられたストレージ直接記録手段１７とが互いに信号の授受を行って連携した動作を行うことによって画像データ等の転送及びハンドリングを行う。
【００３５】
図３は、直接記録装置のプロトコルアーキテクチャを示す図である。
【００３６】
図３において、電子カメラ１の内部に記載された各層の機能が機器直接記録手段１０の構成に対応し、ストレージ２の内部に記載された各層の機能がストレージ直接記録手段１７の構成に対応している。
【００３７】
物理通信層としては、例えばＵＳＢなどの物理的インターフェース２１を設ける。トランスポート層には、ＰＴＰトランスポートレイヤ２２を備える。ＰＴＰ（Ｐｉｃｔｕｒｅ  Ｔｒａｎｓｆｅｒ  Ｐｒｏｔｏｃｏｌ）は、主に電子カメラにおいて画像転送に用いられるプロトコルである。尚、これらのレイヤの構成に際しては、上述のＵＳＢ、ＰＴＰに限らず、適宜公知の技術を用いて構成しても良い。
【００３８】
そして、ＰＴＰトランスポートレイヤ２２の上層に、直接記録を実現するための直接記録レイヤ２４とソフトウエアコンポーネントである直接記録ディスカバリ２３が設けられている。そして、最上層であるアプリケーション層２５にはソフトウエアコンポーネントである第１直接記録サーバ２６、第２直接記録クライアント２７が電子カメラ側に設けられ、第１直接記録クライアント２８及び第２直接記録サーバ２９がストレージ側に設けられている。
【００３９】
直接記録ディスカバリ２３は、電子カメラ１とストレージ２とが直接記録を行うにあたって、所定の機能を備えているかどうかのネゴシエーションを行う。
【００４０】
第１直接記録（サーバ／クライアント）は、電子カメラ１の画像データをストレージ２に転送する機能をサポートする。電子カメラ１側に設けられた第１直接記録サーバ２６は、ストレージ２側に設けられた第１直接記録クライアント２８からの要求に対してデータの提供を行う。
【００４１】
第２直接記録（サーバ／クライアント）は、ストレージ２の画像データを電子カメラ１に転送する機能、及びストレージ内の画像データを操作する機能をサポートする。ストレージ２側に設けられた第２直接記録サーバ２９は、電子カメラ１側に設けられた第２直接記録クライアント２７からの要求に対してデータの提供を行う。
【００４２】
本発明に係る直接記録装置は次の機能を備えている。
【００４３】
機能１：電子カメラ１とストレージ２との間でデータ転送等の動作を行うための準備を整える機能。
【００４４】
この準備機能には、電子カメラ１とストレージ２とが直接記録を行うための所定の機能を備えているかどうかのネゴシエーションを行うディスカバリ動作とそれぞれの機能に関する詳細情報の授受を行うコンフィギュア動作が定義されている。
【００４５】
機能２：電子カメラ１内の画像データをストレージ２に転送してストレージ記録媒体１５に記憶させる機能。
【００４６】
この機能として、ダイレクトコピー動作が定義されている。
【００４７】
機能３：ストレージ２内の画像データを電子カメラ１に転送して表示部８に表示または機器記録媒体６に記憶させる機能。
【００４８】
この機能として、ダイレクト表示動作が定義されている。
【００４９】
機能４：電子カメラ１からストレージ２内のファイル等を操作する機能。
【００５０】
この機能として、ストレージ内の画像データのコピー／移動動作、他のストレージへの画像データのコピー／移動動作、ストレージ内での画像データの削除などの動作、フォーマット等のストレージの操作動作等が定義されている。
【００５１】
以下、それぞれの機能に従って直接記録装置の動作について説明する。
【００５２】
［準備機能］
先ず、電子カメラ１とストレージ２とが直接記録を行うための所定の機能を備えているかどうかのネゴシエーションを行うディスカバリ動作について説明する。
【００５３】
図４は、ディスカバリ動作の信号授受フローを示す図である。
【００５４】
電子カメラ１とストレージ２とが通信線３によって接続され通信が可能な状態になったときに、ストレージ側の直接記録ディスカバリ２３ａが起動し電子カメラ１に対して、直接記録機能を定義したファイルのファイル識別子のリストを要求する（Ｓ１）。
【００５５】
ここで、ファイル識別子は、画像データファイルなどを識別するためのＩＤデータであり、直接記録装置が電子カメラ１内の全ファイルに対してユニークな値を設定する。従って、このファイル識別子によって対象とするファイルを特定することができる。尚、ファイル識別子の詳細については後述する。
【００５６】
電子カメラ１では、直接記録ディスカバリ２３ｂが起動し、電子カメラ内に備えている直接記録機能を定義したファイルを抽出し、そのファイル識別子のリストを作成してストレージ２に送信する（Ｓ２）。
【００５７】
ストレージ２では、ファイル識別子毎にそのファイルの情報の送信を要求し、電子カメラ１では、要求のあったファイル識別子のファイルの情報をストレージ２に送信する（Ｓ３、Ｓ４）。そして、この動作を、リストに記載されたファイル識別子毎に繰り返して実行する。
【００５８】
この動作によって、ストレージ２では、接続された電子カメラ１が備えている直接記録機能を把握することができる。
【００５９】
次に、ストレージ２では、ストレージ内に備えている直接記録機能を定義したファイルを抽出し、前述の手順（Ｓ２〜Ｓ４）と同様の手順に従ってファイル情報を送信する（Ｓ５）。
【００６０】
この動作によって、電子カメラ１とストレージ２は互いが有する直接記録機能を認識することができる。そして、電子カメラ１とストレージ２が直接記録を実行することが可能であることが認知された場合は、続いて電子カメラ１は、ストレージ２が保有する詳細の直接記録機能情報及び能力情報を獲得するための動作を実行する。
【００６１】
図５は、機能情報及び能力情報の獲得動作の信号授受フローを示す図である。
【００６２】
尚、本獲得動作は、第２直接記録サーバ２９と第２直接記録クライアント２７とのあいだの信号授受によって実行される。従って、第１直接記録サーバ２６と第１直接記録クライアント２８は信号授受動作を行わない。
【００６３】
電子カメラ１の第２直接記録クライアント２７は、ストレージ２に対して詳細の機能情報を問い合わせる（Ｓ１０）。ここで、問い合わせる機能としては、電子カメラ１からストレージ２へのデータ転送機能、ストレージ２から電子カメラ１へのデータ転送機能、ストレージ２内のファイル等を操作する機能などである。また、直接記録クライアント２７は、この問い合わせに併せて、電子カメラ１の機種名などの機器情報も送信する。
【００６４】
ストレージ２の第２直接記録サーバ２９は、このそれぞれの機能の問い合わせに対して回答を送信する（Ｓ１１）。
【００６５】
続いて、電子カメラ１の第２直接記録クライアント２７は、ストレージ２に対して能力情報を問い合わせる（Ｓ１２）。この能力情報によって、電子カメラ１はストレージ２の動作を指定することができる。例えば、ストレージ内のフォルダの自動作成の可否、ファイル名のリネームの可否、ファイルのプロテクションの可否などが該当する。
【００６６】
ストレージ２の第２直接記録サーバ２９は、このそれぞれの能力の問い合わせに対して回答を送信する（Ｓ１３）。
【００６７】
以上の準備の後、個別の機能に基く動作が実行可能となる。
【００６８】
［ダイレクトコピー機能］
この機能は、電子カメラ１内の画像データをストレージ２に送信してストレージ記録媒体１５に記憶させる機能である。
【００６９】
図６は、ダイレクトコピー動作の信号授受フローを示す図である。
【００７０】
ユーザが電子カメラ１の操作部７及び表示部８を用いて、送信する画像のファイルを選択して、ダイレクトコピーの開始を入力すると、第２直接記録クライアント２７が起動して、送信するファイル識別子（１〜ｍ）のリストをデータとして添付してダイレクトコピー要求を送信する（Ｓ２０）。
【００７１】
ストレージ２では、第１直接記録クライアント２８が送信されたリストから１つのファイル識別子（ｎ）を取り出し、そのファイル識別子（ｎ）についてのファイル情報を電子カメラ１に要求する（Ｓ２１）。
【００７２】
電子カメラ１では、第１直接記録サーバ２６がそのファイル識別子（ｎ）についてのファイル情報を編集してストレージ２に送信する（Ｓ２２）。ここで、送信するファイル情報は、例えば、ファイル名、ファイルサイズ、ファイル属性、ファイル作成日、ファイル更新日などである。
【００７３】
ストレージ２では、第１直接記録クライアント２８が送信されたファイル情報に基づいて画像ファイルを受入れるための準備を行う。また、ファイルサイズから空き容量のチェックを行い、受入れ可能かどうかの判断を行う。そして、受入れ可能であれば、電子カメラ１にファイルの転送を要求する（Ｓ２３）。
【００７４】
電子カメラ１では、第１直接記録サーバ２６がそのファイル識別子（ｎ）のファイルをストレージ２に対して送信する（Ｓ２４）。
【００７５】
ストレージ２では、第１直接記録クライアント２８が送信されたファイルをストレージ記録媒体１５の所定の領域に格納し、続いて第２直接記録サーバ２９がファイル識別子（ｎ）のファイルのコピー動作が正常に実施できたか否かのステータスを送信する（Ｓ２５）。
【００７６】
電子カメラ１では、第２直接記録クライアント２７が、ステータスに基づいてコピー動作の進捗画面を表示部８に表示する（Ｓ２６）。ここで進捗表示は種々の形態で行うことができる。例えば、バーグラフ、円グラフ等でコピーした割合（ｎ／ｍ）をグラフィカルに更新表示しても良く、コピーしたファイルの識別子を削除あるいは表示することで進捗状況を表わしても良い。
【００７７】
以上の手順（Ｓ２１〜Ｓ２６）を、手順Ｓで指示された全てのファイル識別子（１〜ｍ）について繰り返して実行する。
【００７８】
そして、ダイレクトコピー終了時に、第２直接記録サーバ２９が装置ステータスを送信し（Ｓ２７）、電子カメラ１の第２直接記録クライアント２７は、表示部８にダイレクトコピー動作のＯＫ・エラーを表示する（Ｓ２８）。ここで、エラーの内容としては、例えば、「空き容量不足」、「書込み禁止」、「ファイル属性が異なる」、「ストレージの種類が異なる」等がある。
【００７９】
もちろん、空き容量不足等のエラーに関しては、手順Ｓ２１を繰り返すことで、実際のファイル転送前に実施することで、コピー途中での失敗を防止することもできる。
【００８０】
次に、図７を参照してファイル識別子の付番方法について説明する。
【００８１】
図７には、フォルダ３５ａ〜３５ｎ、とファイル３８ａ〜３８ｃがツリー構造で表わされている。ここで、それぞれのフォルダ、ファイルを表わす図形中には、上段にフォルダ名またはファイル名を示し、下段にはファイル識別子が記載されている。
【００８２】
本直接記録装置では、このツリー構造に基づいて、フォルダとファイルを区別することなく連続して番号を付け、これをファイル識別子とする。従って、この規則によれば、フォルダ３５ａ〜３５ｂのファイル識別子は「０００００００１」〜「０００００００２」、ファイル３８ａ〜３８ｃのファイル識別子は「０００００００３」〜「０００００００５」、フォルダ３５ｃファイル識別子は「０００００００６」…となる。尚、テンポラリのフォルダ３６にはファイル識別子を設定しない。
【００８３】
次に、上述の能力情報に基いて、ダイレクトコピー時におけるファイル格納動作のバリエーションについて説明する、
図８は、ストレージがフォルダ作成機能を有さない場合の格納動作を説明する図である。
【００８４】
ストレージ２の第１直接記録クライアント２８は、送信されたファイル「Ｐ１０１０００４．ＪＰＧ］、「Ｐ１０１０００５．ＪＰＧ］を既存のフォルダ「１００ＡＢＣＤＥ」内にコピーする。この際、どのフォルダにコピーするかは、ストレージ２に実装されている仕様に依存する。
【００８５】
例えば、撮影データの種類（画像、音声、動画）毎に別のフォルダとすることで、コピー後の種類毎の管理を容易にすることもできる。また、撮影モード（単射、連射）毎に別フォルダとすることで、撮影後のデータ管理を容易にすることもできる。その他にも、手順Ｓ２０にて、予め設定されている目的（家族写真、旅行、結婚式等）毎のフォルダをユーザが指示できるようにしておき、そのフォルダにコピーするようにしても良い。
【００８６】
また、送信されたファイルをフォルダ内にコピーした後、そのファイルには新しくファイル識別子が設定される。但し、既に設定されているファイル識別子はもとのままとし、書き替えは行わない。
【００８７】
図９は、ストレージがフォルダ作成機能を有する場合の格納動作を説明する図である。
【００８８】
ストレージ２の第１直接記録クライアント２８は、新しくフォルダ「１０１ＡＢＣＤＥ」を作成し、そのフォルダ内に送信されたファイル「Ｐ１０１０００４．ＪＰＧ］、「Ｐ１０１０００５．ＪＰＧ］をコピーする。
【００８９】
また、送信されたファイルをフォルダ内にコピーした後、そのファイルには新しくファイル識別子が設定される。但し、既に設定されているファイル識別子はもとのままとし、書き替えは行わない。
【００９０】
尚、ストレージ２が日付機能を有さない場合は、新規作成フォルダの作成日時を求めることができない。例えば、電子カメラ１は、コピー実行開始時の日時をコピー要求時にストレージ２に送付する。ストレージ２は送信された日時をフォルダ作成日時とする。
【００９１】
日時の受信は、ストレージ２がフォルダ作成時に電子カメラ１に問い合わせても良い。また日時は、コピー実行時、選択開始時、コピーするファイルのいずれかの日時、電子カメラ１内のいずれかのファイル／フォルダ日時でも良い。
【００９２】
これによりストレージ２が日付機能を有さない場合でも、作成するフォルダに管理上意味のある作成日時を設定することができる。
【００９３】
図１０は、ストレージがファイル名を自動生成する機能を有さない場合の格納動作を説明する図である。
【００９４】
ストレージ２の第１直接記録クライアント２８は、送信されたファイル「Ｐ１０１０００４．ＪＰＧ］、「Ｐ１０１０００５．ＪＰＧ］を、名前を変更せずにそのままフォルダ「１００ＡＢＣＤＥ」内にコピーする。もし、フォルダに同一のファイル名が存在する場合のエラーについては、ストレージ２に実装されてある処理に依存する。
【００９５】
また、送信されたファイルをフォルダ内にコピーした後、そのファイルには新しくファイル識別子が設定される。但し、既に設定されているファイル識別子はもとのままとし、書き替えは行わない。
【００９６】
図１１は、ストレージがファイル名を自動生成する機能を有する場合の格納動作を説明する図である。
【００９７】
ストレージ２の第１直接記録クライアント２８は、送信されたファイル「Ｐ１０１０００１．ＪＰＧ］、「Ｐ１０１０００２．ＪＰＧ］を、同一フォルダに同一ファイル名が無いように、名前を「Ｐ１０１０００４．ＪＰＧ］、「Ｐ１０１０００５．ＪＰＧ］と変更してフォルダ「１００ＡＢＣＤＥ」内にコピーする。
【００９８】
また、送信されたファイルをフォルダ内にコピーした後、そのファイルには新しくファイル識別子が設定される。但し、既に設定されているファイル識別子はもとのままとし、書き替えは行わない。
【００９９】
更に、直接記録装置は、ダイレクトコピー時に自動でファイルプロテクション設定を行う機能も備えている。ここで、ファイルプロテクションとは、当該ファイルが書き換えられないように保護する機能のことである。
【０１００】
尚、上述のファイル格納時のオプション動作については、適宜組合わせて実行することができ、第２直接記録クライアント２７がその動作を指定することが可能である。
【０１０１】
１フォルダ内にコピーできるファイル数を制限し、所定ファイル数を越えた場合は、別のフォルダを作成し、新たに作成したフォルダにコピーを行っても良い。
【０１０２】
フォルダを作成するタイミングは、コピー中に所定数を越えた場合、コピー開始前に所定数を越えている場合、コピー開始前には所定数を越えていないが越えることが分かっている場合のいずれでも良い。これにより、１フォルダ内のファイル数が多くなり、管理が困難になることを防ぐことができる。
【０１０３】
本ダイレクトコピー機能によれば、ＰＣを介さずに電子カメラ１から直接ストレージにデータを転送して記録することができる。
【０１０４】
また、ストレージの格納動作を指定することができるため、画像データを所望の状態でストレージに記録することができる。
【０１０５】
更に、ファイル識別子を用いてデータを管理しているため、電子カメラ、ストレージのメーカ、機種によらず統一的にデータを扱うことが可能となる。
【０１０６】
［ダイレクト表示機能］
この機能は、ストレージ２内の画像データを電子カメラ１に送信して表示部８に表示し、または機器記録媒体６に記録させる機能である。
【０１０７】
図１２は、ダイレクト表示動作の信号授受フローを示す図である。
【０１０８】
本ダイレクト表示動作は、第２直接記録サーバ２９と第２直接記録クライアント２７とのあいだの信号授受によって実行される。従って、第１直接記録サーバ２６と第１直接記録クライアント２８は信号授受動作を行わない。
【０１０９】
ユーザが電子カメラ１の操作部７を用いて、ファイル表示モードを選択して、ダイレクト表示の開始を入力すると、第２直接記録クライアント２７が起動して、ストレージ２に対して先ずストレージ識別子を要求する（Ｓ３１）。
【０１１０】
ここで、ストレージ識別子は、ストレージ２の論理ストレージまたは物理ストレージを識別するためのＩＤデータであり、直接記録装置がストレージ２内の全ストレージに対してユニークな値を設定する。従って、このストレージ識別子によって対象とするストレージを特定することができる。
【０１１１】
図１３は、ストレージ識別子の付け方を示す図である。
【０１１２】
ストレージ識別子は、８桁の数字によって構成され、上位４桁が物理ストレージ番号を表わし、下位４桁が論理ストレージ番号を表わしている。物理ストレージとは、物理的に別個の装置として存在するストレージであり、論理ストレージとは、同一装置内を複数のストレージに仮想的に分割したストレージである。
【０１１３】
図１３に示す例では、ＭＯの物理ストレージ番号を「０００１」、ＣＤ−Ｒの物理ストレージ番号を「０００２」とし、更に、ＭＯの２つの論理ストレージ番号を「０００１」、「０００２」として、この物理ストレージ番号と論理ストレージ番号からストレージ識別子を設定している。
【０１１４】
ストレージ２では、第２直接記録サーバ２９がストレージ識別子を電子カメラ１に送信する（Ｓ３２）。ストレージ識別子を受信した電子カメラ１では、第２直接記録クライアント２７がストレージ識別子ごとのストレージ情報を要求する（Ｓ３３）。
【０１１５】
ストレージ２では、第２直接記録サーバ２９がストレージ情報を編集して電子カメラ１に編集したストレージ情報を送信する（Ｓ３４）。
【０１１６】
第２直接記録サーバ２９が編集するストレージ情報は、例えば、ストレージ種別、ファイルシステム種別（フォーマット形式等）、アクセス種別（ＲＯＭ、Ｒ／Ｗ等）、ストレージ総容量、ストレージ空き容量、ストレージ記述子、ボリュームラベルなどである。
【０１１７】
ストレージ情報を受信した第２直接記録クライアント２７は、そのストレージ情報を表示部８に表示する（Ｓ３５）。ユーザはこの表示を参照して表示対象とするストレージを操作部７によって選択する（Ｓ３６）。
【０１１８】
このストレージ情報表示（Ｓ３１〜Ｓ３６）は電子カメラ１とストレージ２が接続された場合等に用いてもよい。
【０１１９】
例えば、図１３のストレージ識別子を有するストレージ２が電子カメラ１に接続された場合、電子カメラ１の表示部８にはストレージ識別子に対応するストレージ情報が３つ表示される。
【０１２０】
これによりストレージが接続されたということだけではなく、どのような論理あるいは物理ストレージが存在しているかをユーザに告知することができ、ユーザは電子カメラ１の表示部８に表示されているストレージ情報をもとに所望のストレージを容易に選択することができる。
【０１２１】
第２直接記録クライアント２７は、選択されたストレージ識別子のストレージに格納されているファイル識別子のリストを要求する（Ｓ３７）。第２直接記録サーバ２９は、該当するファイル識別子のリストを作成して電子カメラ１に回答を送信する（Ｓ３８）。
【０１２２】
電子カメラ１では、第２直接記録サーバ２９が送信されたリストから１つのファイル識別子を取り出し、そのファイル識別子についてのファイル情報をストレージ２に要求する（Ｓ３９）。
【０１２３】
ストレージ２では、第２直接記録クライアント２７がそのファイル識別子についてのファイル情報を編集して電子カメラ１に送信する（Ｓ４０）。ここで、回答するファイル情報は、例えば、ファイル名、ファイルサイズ、ファイル属性、ファイル作成日、ファイル更新日などである。
【０１２４】
電子カメラ１では、第２直接記録クライアント２７が送信されたファイル情報に基づいて画像ファイルを受け入れるための準備を行う。また、ファイルサイズから空き容量のチェックを行い、受入れ可能かどうかの判断を行う。そして、受入れ可能であれば、ファイルの転送を要求する（Ｓ４１）。
【０１２５】
ストレージ２では、第２直接記録サーバ２６がそのファイル識別子のファイルを電子カメラ１に対して送信する（Ｓ４２）。
【０１２６】
図１４は、ファイルの取り出し動作を説明する図である。電子カメラ１からファイル識別子として「０００００００３」を指定することにより、ファイル名「Ｐ１０１０００１．ＪＰＧ］が特定され送信される。
【０１２７】
電子カメラ１では、第２直接記録クライアント２７が送信されたファイルを表示部８に表示する（Ｓ４３）。このとき、送信されたファイルを所定の領域に格納しても良い。尚、ファイルを格納する際は、第２直接記録クライアント２７はそのファイルにユニークなファイル識別番号を設定する。
【０１２８】
以上の手順（Ｓ３９〜Ｓ４３）を、全てのファイル識別子について繰り返して実行する。
【０１２９】
本ダイレクト表示機能によれば、ＰＣを介さずにストレージ２から直接に電子カメラ１データを転送して表示または記録することができる。
【０１３０】
また、ストレージにある所望のファイルを獲得することができるため、データの利用範囲を拡大することができる。
【０１３１】
更に、ファイル識別子を用いてデータを管理しているため、電子カメラ、ストレージのメーカ、機種によらず統一的にデータを扱うことが可能となる。
【０１３２】
［ファイル／ストレージ操作機能］
この機能は、電子カメラ１からストレージ２内のファイル等を操作する機能のことである。
【０１３３】
図１５は、ファイル／ストレージ操作動作の信号授受フローを示す図である。
【０１３４】
ユーザが電子カメラ１の操作部７を用いて、操作しようとする内容を選択して、操作の開始を入力すると、第２直接記録クライアント２７が起動して、ファイル／ストレージ操作要求をストレージ２に送信する（Ｓ５１）。
【０１３５】
ここで、ファイル／ストレージ操作要求のデータには、操作しようとするファイル識別子（１〜ｍ）とストレージの操作動作が指定されている。ストレージの操作動作には、ストレージ内での画像データのコピー／移動動作、他のストレージへの画像データのコピー／移動動作、ストレージ内での画像データの削除などの動作、ストレージのフォーマット動作等がある。
【０１３６】
ストレージ２では、第２直接記録サーバ２９が操作要求に基づいた動作を開始すると共に、その動作を開始した旨の応答として装置ステータスを送信する（Ｓ５２）。装置ステータスは、アイドル状態、動作中などのストレージ側の状態を表わす情報である。
【０１３７】
ストレージ２の第２直接記録サーバ２９は、ファイル識別子ごとの操作動作が開始される度にステータスを送信する（Ｓ５３、Ｓ５６）。このステータスを受信した第２直接記録クライアント２７は、そのタイミングで進捗情報を表示部８に更新して表示する（Ｓ５４、Ｓ５５、Ｓ５７）。
【０１３８】
そして、第２直接記録サーバ２９が、操作動作を終了した時に装置ステータスを送信し（Ｓ５８）、電子カメラ１の第２直接記録クライアント２７は、表示部８にファイル／ストレージ操作動作のＯＫ・エラーを表示する（Ｓ５９）。
【０１３９】
次に、このファイル／ストレージ操作の具体的な動作について説明する。
【０１４０】
図１６は、他のフォルダへのコピー／移動動作を説明する図である。
【０１４１】
これは、ストレージ内のファイルを他のフォルダにコピーまたは移動する動作である。ファイル名「Ｐ１０１０００１．ＪＰＧ」をフォルダ「１０１ＡＢＣＤＥ」にコピーまたは移動する場合、電子カメラ１の第２直接記録クライアント２７はファイル／ストレージ操作要求において、コピー／移動するファイル識別子「０００００００３」とコピー／移動先のフォルダのファイル識別子「０００００００６」を指定する。
【０１４２】
また、ストレージ２の第２直接記録サーバ２９は、コピー動作を行ったときは、新しくコピーしたファイルにユニークなファイル識別子を設定する。移動動作では、ファイル識別子は変更しない。
【０１４３】
図１７は、他の物理／論理ストレージへのコピー／移動動作を説明する図である。
【０１４４】
この動作は、ストレージ内のファイルを他の物理／論理ストレージのフォルダにコピーまたは移動する。図１７（１）のＭＯに格納されているファイル名「Ｐ１０１０００１．ＪＰＧ」を、図１７（２）のＣＤ−Ｒに格納されているフォルダ「１００ＡＢＣＤＥ」にコピーまたは移動する場合、電子カメラ１の第２直接記録クライアント２７はファイル／ストレージ操作要求において、コピー／移動するファイル識別子「０００００００３」とコピー／移動先のストレージ識別子「００２０００１」とファイル識別子「０００００００７」を指定する。
【０１４５】
また、ストレージ２の第２直接記録サーバ２９は、コピー動作を行ったときは、新しくコピーしたファイルにユニークなファイル識別子を設定する。移動動作では、ファイル識別子は変更しない。
【０１４６】
図１８は、削除／プロテクション動作を説明する図である。
【０１４７】
この動作は、ストレージ内のファイルまたはフォルダを削除しあるいはプロテクションの設定をする。ファイル名「Ｐ１０１０００１．ＪＰＧ」を削除またはプロテクションする場合、電子カメラ１の第２直接記録クライアント２７はファイル／ストレージ操作要求において、削除／プロテクションするファイル識別子「０００００００３」を指定する。
【０１４８】
図１９は、フォーマット／イジェクト動作を説明する図である。
【０１４９】
この動作は、ストレージ内の記録媒体をフォーマットし、またはストレージから記録媒体を取り出す。図１７（１）のＭＯをフォーマット／イジェクトする場合、電子カメラ１の第２直接記録クライアント２７はファイル／ストレージ操作要求において、ストレージ識別子「０００１０００１」を指定する。
【０１５０】
尚、単一の論理／物理ストレージしか存在しない場合は、ストレージ識別子の指定を省略することができる。
【０１５１】
本ファイル／ストレージ操作機能によれば、ＰＣを介さずにストレージ２のファイル操作が行えるため、ストレージに所望の状態でファイルを格納することができるため、データの管理に有効である。
【０１５２】
［日付け記録機能］
本直接記録装置は、上述の各機能に加えて、動作を行った日付けを、対応するファイル又はフォルダについて記録する日付け記録機能を備えている。
【０１５３】
即ち、▲１▼電子カメラ１のファイルをストレージ２にコピーして新たにファイルを生成したとき▲２▼逆に、ストレージ２のファイルを電子カメラ１にコピーして新たにファイルを生成したとき▲３▼ストレージ内でファイルをコピーして新たなファイルを生成したとき▲４▼ストレージ内でフォルダをコピーして新たなフォルダを生成したとき▲５▼ファイルコピー時に、新規のフォルダを作成した時は、そのコピーにより生成した日付けをそれぞれのファイルまたはフォルダに対応付けて記録する。
【０１５４】
日付け記録機能によれば、操作を行った日付を履歴として管理し利用することができる。
【０１５５】
［同時印刷、コピー機能］
本直接記録装置は、上述の各機能に加えて、ファイルをプリンタに直接出力して印刷すると同時に、当該ファイルをストレージに記録することのできる同時印刷、コピー機能を備えている。
【０１５６】
この機能を用いれば、ユーザが一つの操作をすることにより、印刷と記録を同時に開始させることが可能である。
【０１５７】
撮影した画像データを印刷するだけでなく、外部の記録媒体に保存することは通常良く行われている。しかし、プリント動作には時間がかかり、プリントが終了するまで待ちの状態に置かれることはユーザにストレスを与えることになる。従って、同時印刷、コピー機能によれば、ユーザの操作を効率化することができるとともにユーザのストレスを解消することができる。
【０１５８】
尚、本発明は上記記載の直接記録装置に基づいて、当該直接記録装置を、以下のように構成することができる。
【０１５９】
（１）第１の機器と該第１の機器に直接信号接続する第２の機器とに搭載され、前記第１の機器内に記憶された少なくとも１つの第１のデータと前記第２の機器内に記憶された少なくとも１つの第２のデータとを相互に転送する交信手段を備えたことを特徴とする直接記録装置。
【０１６０】
（２）ユニークなデータ識別符号である識別子を設定する識別子設定手段と、前記識別子に基づいて、前記第１および第２のデータを特定するデータ特定手段とを備えたことを特徴とする（１）に記載の直接記録装置。
【０１６１】
尚、上記実施形態には種々の段階の発明が含まれているため、開示される複数の構成要件における適宜な組み合わせにより種々の発明を抽出することができる。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【０１６２】
【発明の効果】
以上説明したように、本発明の直接記録装置または直接記録方法によれば、メーカ、機種に依存せず、機器と記憶装置とを直接接続してデータを取り扱うことができ、更にデータの多様なハンドリングが可能となる。
【図面の簡単な説明】
【図１】本発明に係る直接記録装置の狙いを示す図。
【図２】本発明に係る直接記録装置を用いた直接記録システムの構成を示す図。
【図３】直接記録装置のプロトコルアーキテクチャを示す図。
【図４】ディスカバリ動作の信号授受フローを示す図。
【図５】機能情報及び能力情報の獲得動作の信号授受フローを示す図。
【図６】ダイレクトコピー動作の信号授受フローを示す図。
【図７】ファイル識別子の付番方法を示す図。
【図８】ストレージがフォルダ作成機能を有さない場合の格納動作を説明する図。
【図９】ストレージがフォルダ作成機能を有する場合の格納動作を説明する図。
【図１０】ストレージがファイル名を自動生成する機能を有さない場合の格納動作を説明する図。
【図１１】ストレージがファイル名を自動生成する機能を有する場合の格納動作を説明する図。
【図１２】ダイレクト表示動作の信号授受フローを示す図。
【図１３】ストレージ識別子の付け方を示す図。
【図１４】ファイルの取り出し動作を説明する図。
【図１５】ファイル／ストレージ操作動作の信号授受フローを示す図。
【図１６】他のフォルダへのコピー／移動動作を説明する図。
【図１７】他の物理／論理ストレージへのコピー／移動動作を説明する図。
【図１８】削除／プロテクション動作を説明する図。
【図１９】フォーマット／イジェクト動作を説明する図。
【図２０】カメラシステムの構成を示す断面図。
【符号の説明】
１…電子カメラ、２…ストレージ、３…通信線、６…機器記録媒体、７…操作部、８…表示部、１０…機器直接記録手段、１１…機器制御部、１５…ストレージ記録媒体、１７…ストレージ直接記録手段、１８…ストレージ制御部、２１…物理的インターフェース、２２…ＰＴＰトランスポートレイヤ、２３…緒癖設記録ディスカバリ、２４…直接記録レイヤ、２５…アプリケーション層、２６…第１直接記録サーバ、２７…第２直接記録クライアント、２８…第１直接記録クライアント、２９…第２直接記録サーバ、３５…フォルダ、３８…ファイル。
【図１】
2004328544.tif 000003
【図２】
2004328544.tif 000004
【図３】
2004328544.tif 000005
【図４】
2004328544.tif 000006
【図５】
2004328544.tif 000007
【図６】
2004328544.tif 000008
【図７】
2004328544.tif 000009
【図８】
2004328544.tif 000010
【図９】
2004328544.tif 000011
【図１０】
2004328544.tif 000012
【図１１】
2004328544.tif 000013
【図１２】
2004328544.tif 000014
【図１３】
2004328544.tif 000015
【図１４】
2004328544.tif 000016
【図１５】
2004328544.tif 000017
【図１６】
2004328544.tif 000018
【図１７】
2004328544.tif 000019
【図１８】
2004328544.tif 000020
【図１９】
2004328544.tif 000021
【図２０】
2004328544.tif 000022
【手続補正書】
【提出日】平成15年6月20日(2003.6.20)
【手続補正１】
【補正対象書類名】明細書
【補正対象項目名】０００６
【補正方法】変更
【補正の内容】
【０００６】
【特許文献１】
特開２００２−０５５３８８号公報


【手続補正２】
【補正対象書類名】明細書
【補正対象項目名】００５５
【補正方法】変更
【補正の内容】
【００５５】
ここで、ファイル識別子は、画像データファイルなどを識別するためのＩＤデータであり、電子カメラ１内の全ファイルに対してユニークな値を設定する。従って、このファイル識別子によって対象とするファイルを特定することができる。尚、ファイル識別子の詳細については後述する。


【手続補正３】
【補正対象書類名】明細書
【補正対象項目名】００５９
【補正方法】変更
【補正の内容】
【００５９】
次に、ストレージ２では、ストレージ内に備えている直接記録機能を定義したファイルを抽出し、そのファイル情報を送信する（Ｓ５）。